(57)【特許請求の範囲】
【請求項１】
筒状に形成され、基端側が薬液注入部に連通する大径部分と、内外径共に先細りの筒状に形成された先端部分とからなる電気絶縁性の可撓性のシースと、
前記シース内に配置され、前記シースの基端側からの操作により軸方向に進退する棒状電極とを有する内視鏡用高周波電気メスであって、
前記棒状電極は、先端に前方に向かって凸の略半球状で前記棒状電極の径より大径且つ前記シースの先端の内径よりごくわずかに小径の先端電極が形成されると共に、前記先端電極が前記シースの先端から突出する位置から前記シースの大径部分まで移動自在に配置され、
前記先端電極を前記シースの大径部分まで移動させることにより、前記先端電極と前記シースの内周部との間に薬液が通過する隙間が形成されることを特徴とする内視鏡用高周波電気メス。
【請求項２】
請求項１に記載された内視鏡用高周波電気メスにおいて、前記先端電極の後端縁部が全周においてエッジ状に形成されている内視鏡用高周波電気メス。
【請求項３】
請求項１又は２に記載された内視鏡用高周波電気メスにおいて、前記先端電極の表面が電気絶縁性コーティングにより被覆されている内視鏡用高周波電気メス。
【発明の詳細な説明】
【技術分野】
【０００１】  本発明は、可撓性の内視鏡の処置具案内管に通して用いられる内視鏡用高周波電気メスに関する。
【背景技術】
【０００２】  内視鏡用高周波電気メスには各種のタイプがあるが、粘膜の切開、切除等を行うためには、電気絶縁性の可撓性のシースの先端から前方に突出する棒状電極が設けられたタイプのものがよく使用される。その場合、棒状電極の径より太い先端電極が棒状電極の先端に形成されたものが、高周波電流を流して粘膜を切開する際に具合がよくて広く用いられている（例えば、特許文献１、２、３、４等）。
【特許文献１】  特開２００５−１１０８６１号公報
【特許文献２】  特開２００４−３１３５３７号公報
【特許文献３】  特開２００４−１６７０８１号公報
【特許文献４】  特開２００４−２４８９１１号公報
【発明の開示】
【発明が解決しようとする課題】
【０００３】  内視鏡用高周波電気メスで粘膜切除を行う際には、電極に高周波電流を流して粘膜を切り裂く前に、例えば生理食塩水やヒアルロン酸ナトリウム等のような液を粘膜隆起液として粘膜の裏側部分に注入して粘膜を隆起させておく。
そのような前処置は、従来は内視鏡用注射具等を用いて行われていたが、内視鏡の処置具案内管に電気メスと注射具を交互に挿脱しなければならないので、操作が極めて煩雑になってしまう。【０００４】  そこで、電気メスに注射具の機能を併有させればよいが、特許文献２に記載された発明等のように、単にシース内を送液路にしてシースの先端から液を送り出せるようにしただけの構成のものでは、シースの先端を粘膜内に潜り込ませることができないので粘膜下にうまく注液することができない。また、棒状電極より太い先端電極をシースの先端から突出させておかないと注液することができないので、シースの先端を粘膜内に潜り込ませて粘膜下に注液するようなことは全く不可能であった。【０００５】  本発明はそのような問題を解決するためになされたものであり、高周波電流を通電して行う粘膜切開処置だけでなく、粘膜の裏側部分に粘膜隆起液を注入する処置も、内視鏡の処置具案内管に処置具を挿脱し直すことなく容易かつ安全に行うことができる内視鏡用高周波電気メスを提供することを目的とする。
【課題を解決するための手段】
【０００６】
本発明の内視鏡用高周波電気メスは、筒状に形成され、基端側が薬液注入部に連通する大径部分と、内外径共に先細りの筒状に形成された先端部分とからなる電気絶縁性の可撓性のシースと、シース内に配置され、シースの基端側からの操作により軸方向に進退する棒状電極とを有する内視鏡用高周波電気メスであって、棒状電極は、先端に前方に向かって凸の略半球状で棒状電極の径より大径且つシースの先端の内径よりごくわずかに小径の先端電極が形成されると共に、先端電極がシースの先端から突出する位置からシースの大径部分まで移動自在に配置され、先端電極をシースの大径部分まで移動させることにより、先端電極とシースの内周部との間に薬液が通過する隙間が形成されることを特徴とする。
【０００７】  なお、先端電極の後端縁部が全周においてエッジ状に形成されていてもよく、先端電極の表面が電気絶縁性コーティングにより被覆されていてもよい。
【発明の効果】
【０００８】
本発明の内視鏡用高周波電気メスによれば、可撓性のシースは、先端部分が内外径共に先細りの筒状に形成され、棒状電極は、先端に棒状電極より大きな径の略半球状で棒状電極の径より大径且つシースの先端の内径よりごくわずかに小径の先端電極が形成されて、先端電極がシースの先端から突出する位置からシースの大径部分まで移動自在に配置され、先端電極をシースの大径部分まで移動させることにより、先端電極とシースの内周部との間に薬液が通過する隙間が形成されることから、シースの先端から突出させた電極に高周波電流を通電して行う粘膜切開処置だけでなく、シース内に電極を引っ込めて粘膜の裏側部分に粘膜隆起液を注入する処置も、内視鏡の処置具案内管に処置具を挿脱し直すことなく容易かつ安全に行うことができる。
【発明を実施するための最良の形態】
【０００９】  以下、図面を参照して本発明の実施の形態を具体的に説明する。
図２は内視鏡用高周波電気メスの全体構成を示している。図示されていない内視鏡の処置具案内管に挿脱される可撓性のシース１は、フッ素樹脂チューブ等のような電気絶縁性の合成樹脂チューブにより形成されている。そしてシース１内には、可撓性のある導電性の操作ワイヤー２が前後方向にスライド自在に緩く挿通配置されている。【００１０】  １０は、シース１の基端に連結された操作部であり、操作部本体１１に対して操作部材１２をスライド操作することにより、操作ワイヤー２を前後方向にスライドさせることができる。操作部材１２には、図示されていない高周波電源コードを操作ワイヤー２に接続させるための接続端子１３が併設されている。
１４は、シース１の基端に連通して設けられた薬液注入口金（薬液注入部）であり、図示されていない注射筒等を薬液注入口金１４に接続することにより、シース１内に薬液を注入することができる。１５は、シース１内に注入された薬液が操作部１０側に漏出しないようにシールをするためのシール部材である。【００１１】  図３はシース１の先端付近を示している。シース１の先端部分は、内外面の径が共に一定の勾配で先端側へ次第に小さくなるテーパ筒状に形成されている。ただしシース１の先端部分は、必ずしもテーパ筒状でなくても、内外径が共に先細りの筒状に形成されていればよい。
シース１の先端部分内の中心軸位置には、導電性の金属材からなる棒状電極３が配置されている。棒状電極３の基端はシース１の先端近傍内において操作ワイヤー２の先端と連結されており、操作ワイヤー２が操作部１０において前後方向にスライド操作されると、棒状電極３がシース１の先端内で前後方向にスライドして、先端電極４がシース１の先端内に出入りする。【００１２】  ５と６は、シース１の最先端部１ａからの棒状電極３の最大突出長を規制するための固定ストッパと移動ストッパである。固定ストッパ５は、例えばシース１の内径寸法より大きな外形寸法を有する金属パイプ材により形成されていて、シース１の内周部に例えば圧入等により固定されている。
移動ストッパ６は、Ａ−Ａ線で切断した断面を図示する図４に示されるように、金属パイプ材を外縁がシース１に緩く内接する程度に偏平に潰して、操作ワイヤー２の先端部分と棒状電極３の後端部分とにまたがってかしめ固定されている。したがって、固定ストッパ５と移動ストッパ６の部分においても、シース１内を薬液がスムーズに通過することができ、また、操作ワイヤー２と棒状電極３とが移動ストッパ６で連結されて移動ストッパ６によりシース１の中心に位置させられている。ただし、操作ワイヤー２と棒状電極３とを移動ストッパ６以外の部材で連結してもよく、操作ワイヤー２をそのまま延長して棒状電極３を形成してもよい。【００１３】  そのような構成により、移動ストッパ６が固定ストッパ５に後方から当接することにより、シース１の最先端部１ａからの棒状電極３の最大突出長が規制される。なお、固定ストッパ５と移動ストッパ６は、シース１内の薬液の通過を妨げることなく当接し合う形状であれば、どのような形状であっても差し支えない。図５は、その一例であって、二重のリング状に形成された移動ストッパ６の断面形状を示している。【００１４】  図１に拡大して図示されているように、棒状電極３の最先端部分には、棒状電極３の径（直径ｄ１）より大きな径（直径ｄ２）を有していて前方に向かって凸の略半球状に形成された導電体の先端電極４が形成されている。ただし、先端電極４の直径ｄ２はシース１の最先端部１ａの内径（直径Ｄ）より小さく形成されている。即ち、ｄ１＜ｄ２＜Ｄである。【００１５】  したがって、先端電極４はシース１内に突没自在であり、シース１の最先端部１ａの内縁部分Ｒは先端電極４が引っ掛からないように滑らかな曲線で面取りされている。そして、図６に示されるように、先端電極４がシース１内に引っ込められた状態においても、先端電極４とシース１の内周部との間には薬液がスムーズに通過するのに十分な隙間が確保されている。なお、先端電極４の形状は厳密に半球状である必要はなく、例えばその前後方向の厚みが直径の１／３〜２／３程度の範囲にあればよい。【００１６】  図１に戻って、前方に向かって凸の略半球状に形成された先端電極４の後端縁部４ｅは面取りされることなくエッジ状に形成されている。その結果、先端電極４がシース１内に引き込まれた状態でシース１内を薬液が通過できるように、棒状電極３の直径ｄ１と先端電極４の直径ｄ２とに大きな差を設けなくても、先端電極４の後端部と棒状電極３との間に明瞭な段差が形成されている。また、図９及び図１０を参照して後述するように、粘膜２１をその段差に引っ掛けて少し引き寄せた状態で安全に切開することができる。【００１７】  このように構成された実施の形態の内視鏡用高周波電気メスは、粘膜切開処置を行うのに先立って、粘膜２１の裏側部分に粘膜隆起液を注入して粘膜２１を隆起させる処置を行うことができる。
図７及び図８はその状態を示しており、まず、粘膜２１に予め点状に焼灼形成されているマーキング部２２（先端電極４を使用して形成することができる）に、シース１の最先端部１ａを強く押し付ける。すると、シース１の最先端部１ａが先細りに形成されていることにより、粘膜２１内に容易に潜り込んだ状態になる。２３は筋層である。次いで、図８に示されるように、シース１の最先端部１ａから粘膜２１の裏側部分に例えば生理食塩水やヒアルロン酸ナトリウム等のような粘膜隆起液を注入することにより、粘膜２１が隆起する。【００１８】  そこで、図９に示されるように、シース１の最先端部１ａから先端電極４を突出させて、先端電極４を粘膜２１内に残した状態でシース１を粘膜２１外に引き戻し、さらに棒状電極３を少し手元側に引き戻す。すると、棒状電極３の先端との間で段差になっている先端電極４のエッジ状の後端縁部４ｅが粘膜２１の裏面に引っ掛かり、粘膜２１が筋層２３から浮き上がって先端電極４が筋層２３に接触しない状態を確保することができる。【００１９】  その状態で、高周波電流を通電しながら、図１０に示されるように、シース１の先端全体を横方向に移動させると、棒状電極３の先端部分で粘膜２１が焼灼されて切開される。この時、先端電極４のエッジ状の後端縁部４ｅが粘膜２１の裏面に引っ掛かっていることにより、電極３，４が粘膜２１から意に反して外れることなくしかも筋層２３に触れることなく、安全かつ確実に粘膜２１の切開処置を行うことができる。【００２０】  そして、切開された粘膜２１が切開部に被さってきたような場合には、図１１に示されるように、シース１の最先端部１ａを被さってきた粘膜２１の裏側に差し込んで持ち上げて筋層２３から浮き上がらせた状態にしてから、次の切開動作等に移ることができる。【００２１】  図１２は、本発明の第２の実施の形態の内視鏡用高周波電気メスを示しており、略半球状に形成されている先端電極４の表面全部に電気絶縁性コーティングが被覆されている。コーティングの材料としては、例えばフッ素樹脂又はセラミック等を用いることができる。このように構成することにより、図１０に示されるような高周波切開処置等の際に、先端電極４が切開部より奥の正常組織等に触れてもその部分が誤って焼灼されるおそれがなく、安全に切開処置等を行うことができる。
【図面の簡単な説明】
【００２２】
【図１】本発明の第１の実施の形態の内視鏡用高周波電気メスの最先端部分の側面拡大断面図。
【図２】本発明の第１の実施の形態の内視鏡用高周波電気メスの全体構成を示す外観図。
【図３】本発明の第１の実施の形態の内視鏡用高周波電気メスの先端部分の側面断面図。
【図４】本発明の第１の実施の形態の内視鏡用高周波電気メスの図３におけるＡ−Ａ線で切断した断面の断面図。
【図５】本発明の第１の実施の形態の内視鏡用高周波電気メスの移動ストッパの変形例の断面図。
【図６】本発明の第１の実施の形態の内視鏡用高周波電気メスにおいて先端電極がシース内に引き込まれた状態の側面断面図。
【図７】本発明の第１の実施の形態の内視鏡用高周波電気メスの使用状態を示す断面図。
【図８】本発明の第１の実施の形態の内視鏡用高周波電気メスの使用状態を示す断面図。
【図９】本発明の第１の実施の形態の内視鏡用高周波電気メスの使用状態を示す断面図。
【図１０】本発明の第１の実施の形態の内視鏡用高周波電気メスの使用状態を示す斜視図。
【図１１】本発明の第１の実施の形態の内視鏡用高周波電気メスの使用状態を示す断面図。
【図１２】本発明の第２の実施の形態の内視鏡用高周波電気メスの最先端部分の側面拡大断面図。
【符号の説明】
【００２３】  １…シース
１ａ…最先端部
３……棒状電極
４…先端電極
４ｅ…後端縁部
１４…薬液注入口金（薬液注入部）
【図１】
0004726016.tif 000002
【図２】
0004726016.tif 000003
【図３】
0004726016.tif 000004
【図４】
0004726016.tif 000005
【図５】
0004726016.tif 000006
【図６】
0004726016.tif 000007
【図７】
0004726016.tif 000008
【図８】
0004726016.tif 000009
【図９】
0004726016.tif 000010
【図１０】
0004726016.tif 000011
【図１１】
0004726016.tif 000012
【図１２】
0004726016.tif 000013